(57)【要約】 【課題】  画像回転時のページ印字、日付印字、スタンプ印字等の印字機能を行うに際し、ページメモリの使用効率を向上させ、効果的にページメモリを使用して印字を行う。【解決手段】  転写材に対して印字される付加情報を記憶するＨＤＤ１９と、入力された画像データに対して回転処理を行い、前記付加情報を前記ＨＤＤ１９から読み出して転写材に印字させるメインコントローラ１３と、入力された画像データを記憶する第１のページメモリ、及びこの第１のページメモリから前記メインコントローラ１３によって処理された回転後の画像データを書き込む第２のページメモリを含む複数のページメモリ１８とを備え、前記メインコントローラ１３は、付加情報を印字する色と同一の色の画像データの入力がなく、付加情報のみを印字させる場合には、付加情報の回転処理は行わないようにした。【選択図】  図１
2005169732.tif 000002
【特許請求の範囲】
【請求項１】
入力された画像データに対して回転処理を行う回転処理手段と、
記録媒体に対して印字される付加情報を記憶する記憶手段と、
前記付加情報を前記記憶手段から読み出して前記記録媒体に印字させる付加情報処理手段と、
入力された画像データを記憶する第１のページメモリ、及びこの第１のページメモリから前記回転処理手段によって処理された回転後の画像データを書き込む第２のページメモリを含む複数のページメモリと、
を備え、
前記回転処理手段は、前記付加情報を印字する色と同一の色の画像データの入力がなく、前記付加情報のみを印字させる場合には、前記付加情報の回転処理は行わないことを特徴とする２色印字のための画像処理装置。
【請求項２】
前記印字される付加情報が、ページ印字、日付印字及びスタンプ印字の少なくとも１つの印字を行うための情報であることを特徴とする請求項１記載の画像処理装置。
【請求項３】
原稿を読み取り、入力画像データに変換する画像読み取り手段と、
前記画像読み取り手段によって読み取られた画像データを入力画像データとする請求項１または２記載の画像処理装置と、
前記画像処理装置によって処理された画像データおよび／または付加情報を前記記録媒体に印字する印字手段と、
を備えていることを特徴とする２色カラー画像形成装置。
【請求項４】
カラーモード及び印字色に応じて使用するページメモリ数を決定する第１の工程と、
入力される原稿画像の回転角度を計算し、決定する第２の工程と、
前記第２の工程で計算された前記回転角度が９０°または２７０°の場合、前記設定されているカラーモードに基づいて入力画像使用色数を決定する第３の工程と、
前記第１の工程で決定されたページメモリ数と、前記第３の工程で決定された入力画像使用色数に基づいて使用するページメモリ数を計算する第４の工程と、
前記第４の工程で計算された数のページメモリを色毎に確保する第５の工程と、
を含んでいることを特徴とする２色カラー印字処理方法。
【請求項５】
前記第５の工程が、
対象となる色がカラーモード使用色に含まれるかを判断する第６の工程と、
前記第６の工程でカラーモードに含まれていたときに、画像回転角を計算する第７の工程と、
前記第７の工程で計算された画像回転角が９０°または２７０°であれば、ページメモリを２面確保する第８の工程と、
前記第７の工程で計算された画像回転角が０°または１８０°であれば、ページメモリを１面確保する第９の工程と、
を含んでいることを特徴とする請求項４記載の２色カラー印字処理方法。
【請求項６】
前記第６の工程で対象となる色がカラーモード使用色に含まれなければ、ページメモリを１面確保する第１０の工程を含んでいることを特徴とする請求項５記載の２色カラー印字処理方法。
【請求項７】
請求項４ないし６の何れか１項の２色カラー印字処理方法をコンピュータによって実現するための手順を含んでいることを特徴とするコンピュータプログラム。
【請求項８】
請求項７記載のコンピュータプログラムがコンピュータによって読み込まれ、実行可能に記録されていることを特徴とする記録媒体。
【発明の詳細な説明】
【技術分野】
【０００１】
本発明は、入力されたあるいは読み取られた原稿とは別に付加情報を印字する機能を備えた画像処理装置、２色カラー画像形成装置、２色カラー画像処理方法、コンピュータプログラム及び記録媒体に関する。
【背景技術】
【０００２】
複写機等の画像形成装置はアナログ方式からデジタル方式に進み、画像のカラー化の普及とともに、カラー画像処理を用いた様々な編集機能が加えられている。これらの編集機能の１つに、画像が転写された転写材にページ数や日付等を印字したり、−秘−、−複写厳禁−等のスタンプを印字する等の予め設定された付加情報を印字し、原稿画像に対して合成することが知られている。この種の従来技術としては特許文献１及び２がある。
【特許文献１】特開平１１−１３６４９７号公報
【特許文献２】特開２０００−２０９４３３号公報
【発明の開示】
【発明が解決しようとする課題】
【０００３】
原稿画像の転写は、原稿の向き、画像が転写される記録紙のような転写材の向き及び両面に画像を転写するときの開き方向等により、入力される原稿画像を９０°または２７０°回転させる必要がある場合がある。一方、カラーデジタルコピーの高機能化が進み、モノクロデジタル複写機にて実現していた機能に対してカラー化が押し進められている。また、高機能化実現のため画像回転や画像編集を行うＡＳＩＣのゲート数やメモリバッファ量が増加しつつあり、ＡＳＩＣ開発コストが上がっている。ＡＳＩＣコストを抑えるため、画像回転用のメモリバッファが搭載されていないＡＳＩＣでは、ページメモリにある原稿画像を他のページメモリへ９０°（または２７０°）の画像回転を行い、画像回転終了後に回転画像の出力を行う場合がある。モノクロデジタル複写機では当たり前の機能となってきた画像回転時のページ印字、日付印字、スタンプ印字等の印字機能をカラーデジタルの画像形成装置に適用するためには、印字機構を実施するためのページメモリも必要になり、ページメモリの制御が煩雑になってしまう。
【０００４】
本発明の目的は、画像回転用のメモリバッファがなくページメモリを２面（回転前、回転後）使用して画像回転を行う際に、画像回転時のページ印字、日付印字、スタンプ印字等の印字機能を行う際のページメモリの使用効率を向上させることにある。
【課題を解決するための手段】
【０００５】
前記目的を達成するため、第１の手段は、入力された画像データに対して回転処理を行う回転処理手段と、記録媒体に対して印字される付加情報を記憶する記憶手段と、前記付加情報を前記記憶手段から読み出して前記記録媒体に印字させる付加情報処理手段と、入力された画像データを記憶する第１のページメモリ、及びこの第１のページメモリから前記回転処理手段によって処理された回転後の画像データを書き込む第２のページメモリを含む複数のページメモリとを備え、前記回転処理手段は、前記付加情報を印字する色と同一の色の画像データの入力がなく、前記付加情報のみを印字させる場合には、前記付加情報の回転処理は行わないよう２色印字のための画像処理装置を構成したことを特徴とする。
【０００６】
第２の手段は、第１の手段において、前記印字される付加情報が、ページ印字、日付印字及びスタンプ印字の少なくとも１つの印字を行うための情報であることを特徴とする。
【０００７】
第３の手段は、原稿を読み取り、入力画像データに変換する画像読み取り手段と、前記画像読み取り手段によって読み取られた画像データを入力画像データとする請求項１または２記載の画像処理装置と、前記画像処理装置によって処理された画像データおよび／または付加情報を前記記録媒体に印字する印字手段とから２色カラー画像形成装置を構成したことを特徴とする。
【０００８】
第４の手段は、カラーモード及び印字色に応じて使用するページメモリ数を決定する第１の工程と、入力される原稿画像の回転角度を計算し、決定する第２の工程と、前記第２の工程で計算された前記回転角度が９０°または２７０°の場合、前記設定されているカラーモードに基づいて入力画像使用色数を決定する第３の工程と、前記第１の工程で決定されたページメモリ数と、前記第３の工程で決定された入力画像使用色数に基づいて使用するページメモリ数を計算する第４の工程と、前記第４の工程で計算された数のページメモリを色毎に確保する第５の工程とを含んで２色カラー印字処理方法を構成したことを特徴とする。
【０００９】
第５の手段は、第４の手段において、前記第５の工程が、対象となる色がカラーモード使用色に含まれるかを判断する第６の工程と、前記第６の工程でカラーモードに含まれていたときに、画像回転角を計算する第７の工程と、前記第７の工程で計算された画像回転角が９０°または２７０°であれば、ページメモリを２面確保する第８の工程と、前記第７の工程で計算された画像回転角が０°または１８０°であれば、ページメモリを１面確保する第９の工程とを含んでいることを特徴とする。
【００１０】
第６の手段は、第５の手段において、前記第６の工程で対象となる色がカラーモード使用色に含まれなければ、ページメモリを１面確保する第１０の工程を含んでいることを特徴とする。
【００１１】
第７の手段は、第４ないし第６のいずれかの手段に係る２色カラー印字処理方法をコンピュータによって実現するための手順をコンピュータプログラムが含んでいることを特徴とする。
【００１２】
第８の手段は、第７の手段に係るコンピュータプログラムがコンピュータによって読み込まれ、実行可能に記録されていることを特徴とする。
【００１３】
後述の実施例において、回転処理手段はメインコントローラ１３に、記憶手段はＨＤＤ１９に、付加情報処理手段はメインコントローラ１３に、ページメモリは符号１８に、画像読み取り手段はスキャナ／ＩＰＵ部１１に、印字手段は感光体１、第１及び第２の帯電ユニット２，６、第１及び第２の露光ユニット３，７、第１及び第２の現像ユニット４，８、転写手段９にそれぞれ対応する。
【発明の効果】
【００１４】
画像回転時に原稿画像にない色の付加情報の印字を行う場合には、文字情報用のページメモリを２面使用することなく、回転処理も行わないので、ページメモリ使用効率と回転処理時間の短縮（パフォーマンスの向上）が行える。
【発明を実施するための最良の形態】
【００１５】
本発明を二色カラーのデジタル画像形成装置に適用した場合を例にとって説明する。二色カラーのデジタル画像形成装置では、白黒トナー（以下、Ｋトナー）と赤トナー（以下、Ｒトナー）とを有し、白黒単色印刷（白黒モード）、赤単色印刷（赤モード）、赤黒混合印刷（赤黒モード）が可能である。図１は本発明の一実施の形態における画像形成装置の制御系の概略構成を示すブロック図、図２は図１の画像形成装置における画像形成部の概略構成を示す図である。
【００１６】
本実施例に係るデジタル画像形成装置の制御系は、大別すると、図１に示すように、スキャナ／ＩＰＵ部１１、プリンタ制御部１２及びメインコントローラ１３から構成されている。スキャナ／ＩＰＵ部１１には、自動原稿給送部（以下、ＡＤＦと称する）１４が接続されている。プリンタ制御部１２には、ソータ１５とバンク１６とが接続されている。メインコントローラ１３には、操作部１７、複数のページメモリ１８、ハードディスクドライブ（以下、ＨＤＤと称する）１９が接続されている。メインコントローラ１３は上述のスキャナ／ＩＰＵ部１１やプリンタ制御部１２にも接続されている。
【００１７】
スキャナ／ＩＰＵ部１１は、その詳細な構造は図示していないが、コンタクトガラスにセットされた原稿にランプを照射し、この反射光をミラー群、フィルタ、レンズを介して撮像素子であるＣＣＤに結像し、光電変換された信号を増幅、Ａ／Ｄ変換し、デジタル画像データを得る従来から周知の構造である。また、このスキャナ／ＩＰＵ部１１は、内部にパターン化された画像データを備えており、メインコントローラ１３からの指示により、この内部パターンの出力も可能になっている。上記のデジタル画像データは、所定のシェーデイング補正、ガンマ補正などの処理が施される。また、操作部１７やメインコントローラ１３より指定された変倍処理、加工処理などがあれば、これらの処理も行って、所定のタイミングで有効画像領域の上記デジタル画像データを、メインコントローラ１３に送る。
【００１８】
スキャナ／ＩＰＵ部１１に接続されたＡＤＦ１４は、セットされた原稿を所定のタイミングで、コンタクトガラスに原稿を給送し、原稿を読み取り、所定のタイミングで読み取った原稿を排紙する。
【００１９】
プリンタ制御部１２は、メインコントローラ１３から送られてくるデジタル画像データをプリンタ固有の特性に合わせるためのガンマ変換などを行い、これに基づく静電潜像をレーザダイオード等の素子を駆動し、後述するように、帯電された感光体上に形成する。プリンタ制御部１２に接続されたソータ部１５は、上記排出されてくる転写材を、操作部１７より設定されたモードに応じて、仕分けし排出する。バンク１６には記録媒体としての転写材がサイズや向きに応じて同一のものがそれぞれ纏めて積載されている。
【００２０】
メインコントローラ１３はスキャナ／ＩＰＵ部１１より送られてきた画像データをページメモリ１８の所定の面へ保持する。メインコントローラ１３はまた、プリンタ制御部１２より作像の要求があればページメモリ１８より要求された画像データをプリンタ制御部１２へ送る。メインコントローラ１３に接続された操作部１７は、プリントスタートキー、複写枚数を決定するテンキー、本デジタル画像形成装置が備える機能を設定する装置機能設定キー、画像形成システムに関わる機能を設定するシステム機能設定キー、設定された機能及びデータなどを表示する液晶タッチパネルなどを備えている。
【００２１】
ＨＤＤ１９は、原稿画像に対して、ページ印字を施すためのページ番号データや、スタンプ印字を施すためのスタンプデータなどを記憶するものであり、ＨＤＤに代えてＲＯＭで構成してもよい。なお、ページ印字とは、原稿画像に対して、例えばＰ１、Ｐ２や１／１０、２／１０などのページ番号を合成させるモードであり、パージ番号はＨＤＤ１９に記憶されており、ページ印字を実行する場合、ページ印字で使用する色のページメモリ１８の用意を予め行い、用意されたページメモリへページ番号の合成を行う。また、スタンプ印字とは、原稿画像に対して、−秘−、−複写厳禁−等の印字を施すモードであり、ページ印字データと同様にＨＤＤ１９に記憶されている。スタンプ印字を実行する場合、スタンプ印字で使用する色のページメモリ１８の用意を予め行い、用意されたページメモリへスタンプの合成を行う。
【００２２】
これらページ印字やスタンプ印字の外に、この実施の形態においては日付印字も施すことができるようになっている。日付印字とは、原稿画像に対して日付を合成させるモードであり、このデータはメインコントローラ１３内部に設けられているＲＴＣ（Ｒｅａｌ  Ｔｉｍｅ  Ｃｌｏｃｋ：時計）より取得するようになっている。日付印字を実行する場合、日付印字で使用する色のページメモリ１８の用意を予め行い、用意されたページメモリへ日付の合成を行う。なお、ページ印字、日付印字及びスタンプ印字のページ、日付、スタンプがこの発明でいう付加情報である。
【００２３】
上述の画像形成装置における画像形成部は、図２に示すように、像担持体である感光体１と、この感光体１の移動方向に沿って、感光体１の周面に順次配置された第１の帯電ユニット２、第１の像露光ユニット３、第１の現像ユニット４、除電ユニットとしてのイレーサランプ５、第２の帯電ユニット６、第２の像露光ユニット７、第２の現像ユニット８、転写材Ｐに画像を転写する転写ユニット９とから概略構成されている。第１及び第２の像露光ユニット３，７、及び第１及び第２の現像ユニット４，８によって二色トナー画像を同一感光体１表面に形成し、その後、転写ユニット９により転写材Ｐにトナー画像を転写し、不図示の定着ユニットにより未定着のトナー画像を定着するようになっている。このような構成も周知あるので、ここでの詳細な説明は省略する。
【００２４】
以下、画像回転及び非回転の場合の処理について説明する。  
原稿画像を回転させない場合は、図３に示すようになる。図３は原稿画像の回転を行わない場合のページメモリの内容と記録紙への出力状態を説明するための図で、（ａ）はページメモリへの記憶及び読出しを説明するための図、（ｂ）はプリンタ制御部への出力状態を説明するための図である。原稿画像の回転を行わない場合スキャナ／ＩＰＵ部１１により読み取られた原稿画像データは、ｍ×ｎビットのラスタデータとしてページメモリ１８の１面へ記憶される。このページメモリ１８の１面のアドレスを（１，１）、（１，２）・・・・（ｎ，ｍ）のように表すとすれば、通常の出力の場合、ページメモリ１８の１面からの読み出しは、図３（ａ）に矢印で示すように、（１，１）、（１，２）・・・（１，ｍ）、（２，１）、（２，２）・・・・（ｎ，ｍ）の順で行われ、図３（ｂ）に示す形でプリンタ制御部１２へ出力される。
【００２５】
これに対し原稿画像を、例えば９０°回転を行う場合は、図４に示すようになる。図４は原稿画像を９０°回転を行う場合のページメモリの内容と記録紙への出力状態を説明するための図で、（ａ）はページメモリへの記憶及び読出しを説明するための図、（ｂ）はプリンタ制御部への出力状態を説明するための図である。原稿画像を９０°回転させる場合は、ページメモリ１９を２面（回転前、回転後）使用し、図４（ａ）に矢印で示すようにページメモリ１８の第１面からの読み出し順序を変え、（ｎ，１）、（ｎ−１，１）、・・・（１，１）、（ｎ，２）、（ｎ−１，２）・・・（１，ｍ）のように読み出す。読み出したビットデータは、ページメモリ１８の第２面のアドレス（１，１）、（１，２）・・・（１，ｍ）、（２，１）、（２，２）・・・・（ｎ，ｍ）の順で書き込みを行い、図４（ｂ）の形でプリンタ制御部１２へ出力される。同様に２７０°回転を行う場合は読み出し開始のアドレスと読み出し方向を変えることにより実現が可能である。
【００２６】
次に、原稿画像の読み取り時に画像回転を行う場合の一例を図５ないし図８により説明する。図５は図４の回転方式に基づいて入力画像を回転した場合のページメモリのイメージを示す図、図６は入力画像がない場合のページ印字処理におけるページメモリのイメージを示す図、図７は原稿画像読み取り時に画像回転を行う場合の手順を示すフローチャート、図８は各色毎のページメモリの獲得処理の手順を示すフローチャートである。
【００２７】
図５及び図６は、上述した回転方式に基づき入力画像を回転した場合のページメモリ１８のイメージと入力画像がない場合のページメモリ１８のイメージを表している。図５では入力画像があるので、画像入力用のページメモリと画像回転用のページメモリとしてページメモリ１８の２面を使用して画像回転を行っている。一方、図６では、入力画像がないので画像回転は不要となり、画像回転用のページメモリとしてページメモリ１８の１面のみを使用して印字処理を行っている。
【００２８】
ここで、例えば、画像が白黒モードであり、ページ印字は赤色で行うことがユーザーにより選択され、画像形成動作が開始されると、メインコントローラ１３は設定されているカラーモードより、使用される色（Ｋ，Ｒ）へ変換し各々の色についてページメモリ１８の準備を行う。この例の設定では、画像入力色のＫ（白黒モード）とページ印字色のＲが必要トナーとなり、準備するページメモリは黒画像に関しては、画像入力用ページメモリ１面と、赤画像（ページ印字のみ）に関しては印字用のページメモリ１面の計２面が必要なページメモリ１８となる（ステップＳ１０１）。ページメモリ１８の準備の前に、原稿の向き、転写材の向き及び両面時の開き方向等により、入力される原稿画像の回転角度の計算（ステップＳ１０２）を行い、原稿画像の画像回転角度が９０°または２７０°と計算されると、メインコントローラ１３は画像回転時のページメモリの準備数計算処理へ移行する（ステップＳ１０３）。
【００２９】
次いで、設定されているカラーモードに基づいて入力画像使用色数を決定し（ステップＳ１０４）、再度入力画像使用色数の決定を確認し（ステップＳ１０５）、その後判定された入力画像使用色の数より、入力画像で使用される色の数分、必要なページメモリへ加算される（ステップＳ１０６）。この例では、全使用色が２色であるため、必要なページメモリ１８の数は２となり、さらに画像回転が必要であれば、入力画像で使用される色はＫの１色であるため必要ページメモリ数は３と計算される。メインコントローラ１３は必要ページメモリ数計算後に必要である全てのページメモリの確保を各色毎に行う（ステップＳ１０７）。
【００３０】
図８のフローチャートは各色毎のページメモリの獲得処理の手順を示している。ここでは、Ｋ，Ｒへ変換された使用される全色とカラーモードに設定されているカラーより変換されたＫ，Ｒとを用いて各色毎にページメモリの確保を行う。最初に、ページメモリ１８の確保色がカラーモードで使用される色に含まれるか否かの判定を行い（ステップＳ２０１）、含まれなければ入力画像がなく画像の回転は行わないのでページメモリ１面の獲得を行う（ステップＳ２０５）。一方、ページメモリ１８の確保色がカラーモードで使用される色に含まれる場合は、画像回転角度の計算を行う（ステップＳ２０２）。
【００３１】
次に、ステップＳ２０２で画像回転角度が９０°あるいは２７０°となったか否かをチェックし（ステップＳ２０３）、９０°あるいは２７０°であれば、画像入力用のページメモリ１８と画像回転用のページメモリ１８が必要となるので、ページメモリ２面の獲得を行う（ステップＳ２０４）。画像回転角度が９０°あるいは２７０°ではない場合、すなわち、画像回転角度が０°もしくは１８０°の場合はステップＳ２０５へ分岐しページメモリ１面のみ獲得を行う。
【００３２】
画像回転が行われる場合、入力画像用のページメモリとして獲得されたページメモリ１８には、ページメモリ情報として原稿画像と同一の主走査・副走査サイズが保持される。また、画像回転用のページメモリ１８には原稿サイズの主走査・副走査サイズが入れ替わったサイズ、つまり
画像回転用ページメモリの主走査サイズ＝原稿サイズの副走査サイズ
画像回転用ページメモリの副走査サイズ＝原稿サイズの主走査サイズ
と保持され、各ページメモリ１８はメインコントローラ１３内で管理される。
【００３３】
例えば、上記例のようにカラーモードが白黒（Ｋ）で、ページ印字色がレッド（Ｒ）の場合、使用される全色はＫ，Ｒとなり、各色での判断は次のようになる。
【００３４】
画像入力があるＫでは画像入力用及び画像回転用のページメモリ２面が必要となり、ページ印字のみのＲに関してはカラーモード設定色に含まれないため、ページメモリは１面の獲得を行えばよい。すなわち、画像入力がなくページ印字のみを行う色については、メインコントローラ１３がＨＤＤ１９から取得したページ番号に関するデータからページ番号データを獲得し、そのデータをページメモリ（１面のみ）の所定の位置へ指定されたフォントでページ番号ｎ（ｎは１〜）の書き込みを行う。
【００３５】
同時に画像の入力許可をスキャナ／ＩＰＵ部１１へ通知し、所定ライン数（副走査方向）の画像入力終了通知を受け取ると、予め準備した回転後のページメモリ１８へ上述した回転処理にて画像回転を行う。
【００３６】
このように、設定されているカラーモード、印字色、画像回転角度により、印字色が入力画像色にない色の場合は、回転前のページメモリは必要ページメモリ数とせず回転処理も行わずに印字処理のみを行うことができる。
【００３７】
画像入力時に日付印字、スタンプ印字を施す場合も同様に処理を行い、画像入力がない色に日付印字を行う場合や、画像入力がない色にスタンプ印字を行う場合は、それぞれ画像入力用のページメモリの獲得を行う必要がなく、ページメモリ１面で処理を実行することができる。また、ページ印字、日付印字、スタンプ印字が同時に設定されている場合でも、カラーモードや各設定色より使用する全色（Ｋ、Ｒ）へ変換し、各印字色毎に画像入力の有無を判断し、獲得するページメモリ数の決定を行うことができる。
【００３８】
なお、これらの書き込み、読み出しの制御はメインコントローラ１３によって、図示しないＲＯＭに格納されたプログラムに基づいて図示しないＲＡＭをワークエリアとして使用しながら実行される。また、前記プログラムは図示しない記録媒体駆動装置にロードされたＳＤカードやＣＤ−ＲＯＭなどの記録媒体から読み出され、あるいは図示しないネットワークからダウンロードもしくはバージョンアップするように構成することもできる。
【図面の簡単な説明】
【００３９】
【図１】本発明の一実施例における画像形成装置の制御系の概略構成を示すブロック図である。
【図２】図１の画像形成装置における画像形成部の概略構成を示す図である。
【図３】原稿画像の回転を行わない場合のページメモリの内容と記録紙への出力状態を説明するための図で、（ａ）はページメモリへの記憶及び読出しを説明するための図、（ｂ）はプリンタ制御部への出力状態を説明するための図である。
【図４】原稿画像を９０°回転を行う場合のページメモリの内容と記録紙への出力状態を説明するための図で、（ａ）はページメモリへの記憶及び読出しを説明するための図、（ｂ）はプリンタ制御部への出力状態を説明するための図である。
【図５】図４の回転方式に基づいて入力画像を回転した場合のページメモリのイメージを示す図である。
【図６】入力画像がない場合のページ印字処理におけるページメモリのイメージを示す図である。
【図７】原稿画像読み取り時に画像回転を行う場合の手順を示すフローチャートである。
【図８】各色毎のページメモリの獲得処理の手順を示すフローチャートである。
【符号の説明】
【００４０】
１  感光体
２  第１の帯電ユニット
３  第１の像露光ユニット
４  第１の現像ユニット
６  第２の帯電ユニット
７  第２の像露光ユニット
８  第２の現像ユニット
９  転写ユニット
１１  スキャナ／ＩＰＵ部
１２  プリンタ制御部
１３  メインコントローラ
１７  操作部
１８  ページメモリ
１９  ハードディスクドライブ（ＨＤＤ）
Ｐ  転写材
【図１】
2005169732.tif 000003
【図２】
2005169732.tif 000004
【図３】
2005169732.tif 000005
【図４】
2005169732.tif 000006
【図５】
2005169732.tif 000007
【図６】
2005169732.tif 000008
【図７】
2005169732.tif 000009
【図８】
2005169732.tif 000010